(57)【特許請求の範囲】
【請求項１】
商用電力系統に接続される複数の電気設備それぞれで消費される電力と、前記商用電力系統に連系する電力設備から前記電気設備に供給される電力を表示する表示手段と、
前記電気設備及び前記電力設備を制御する制御手段と、
処理手段と、
を備え、
前記電力設備は、発電ユニットと、前記商用電力系統からの電力を蓄電するとともに前記発電ユニットによって発電された電力を蓄電する蓄電手段と、を備え、
前記表示手段は、前記蓄電手段に蓄電された電力の量と予測された将来の消費電力の推移とから算出された、前記蓄電手段が放電可能な時間を表示し、
前記処理手段は、前記蓄電手段に蓄電された電力の量と前記電気設備の需要とに応じて、運転する前記電気設備及び当該電気設備の運転条件を複数求め、
前記表示手段は、前記処理手段が求めた複数の、運転する前記電気設備及び当該電気設備の運転条件をユーザが選択可能に表示し、
前記制御手段は、ユーザが選択した運転条件で前記電気設備及び前記電力設備を制御し、第２発電ユニットと第２蓄電手段とを含む第２電力設備及び第２電気設備を制御する第２設備コントローラと通信可能であり、互いに前記蓄電手段及び前記第２蓄電手段に蓄電された電力又は前記発電ユニット及び前記第２発電ユニットで発電された電力の融通を行うことが可能であり、
前記予測された将来の消費電力の推移に基づいて前記消費電力がピークとなる時間帯を算出し、算出された前記時間帯に前記消費電力が契約電力を超える場合に、前記蓄電手段に蓄電された電力を放電させる、設備コントローラ。
【請求項２】
前記発電ユニットは、太陽電池パネルであり、
前記表示手段は、前記太陽電池パネルの発電状態を表示する請求項１に記載の設備コントローラ。
【請求項３】
前記制御手段は、前記蓄電手段の充電及び放電を制御する請求項１又は２に記載の設備コントローラ。
【請求項４】
前記制御手段は、前記発電ユニットを制御する請求項１から３のいずれか一項に記載の設備コントローラ。
【請求項５】
前記処理手段は、前記電気設備の出力を調整する運用方法を求める、請求項１から４のいずれか一項に記載の設備コントローラ。
【請求項６】
前記処理手段は、前記電気設備の出力を調整するとともに、前記電気設備への給電時間を調整する運用方法を求める、請求項１から４のいずれか一項に記載の設備コントローラ。
【請求項７】
前記電気設備は、空調装置である請求項１から６のいずれか一項に記載の設備コントローラ。
【請求項８】
前記電気設備の消費電力の履歴を記憶する記憶手段を有し、
前記制御手段は、前記履歴に基づいて翌日の前記電気設備による消費電力を予測し、前記予測した結果に基づいて、夜間に前記商用電力系統から前記蓄電手段へ蓄電される電力を制御する請求項１から７のいずれか一項に記載の設備コントローラ。
【請求項９】
前記記憶手段は、前記発電ユニットによる発電電力の履歴を記憶し、
前記制御手段は、前記履歴に基づいて翌日の前記発電ユニットによる発電電力を予測し、前記予測した結果に基づいて、夜間に前記商用電力系統から前記蓄電手段へ蓄電される電力を制御する請求項８に記載の設備コントローラ。
【請求項１０】
前記商用電力系統と連係し、前記電気設備に電力を供給する電力設備と、
請求項１から９のいずれか一項に記載の設備コントローラと、
を備える分散電源システム。
【発明の詳細な説明】
【技術分野】
【０００１】
本発明は、設備コントローラ及び分散電源システムに関し、更に詳しくは、電気設備及び電力設備を制御する設備コントローラ、及び設備コントローラを備える分散電源システムに関する。
【背景技術】
【０００２】
地球温暖化や、世界規模で進行する経済産業の発展にともない、エネルギー消費量の削減を目的とする取り組みが重要視されている。特に、テナントなどの商用施設で消費されるエネルギーは、家庭内で消費されるエネルギーよりも多い。このため、この種の商用施設で消費されるエネルギーを削減することができれば、大きな省エネ効果が期待できる。
【０００３】
また、近年では、災害時の非常用電源として、分散型の発電システムに注目が集まっている。一般家庭に設置される分散型の発電システムの管理は、家庭内のユーザによって行われる。しかしながら、当該ユーザは、電気的な専門知識を持たないことがほとんどである。そのため、公共性が強い商用電力系統と分散型の発電システムとを安定的に連系するためには、家庭内に設置される発電システムを管理する仕組みが必要である。そこで、この種の発電システムの状態を監視するための技術が種々提案されている（例えば特許文献１参照）。
【０００４】
特許文献１に開示された技術は、空調装置のサブ電源として使用される蓄電池の寿命や、蓄電された電力量などの情報を表示するとともに、これらの情報に基づいて蓄電池の出力を制御するものである。
【先行技術文献】
【特許文献】
【０００５】
【特許文献１】特開平１１−７２２６２号公報
【発明の概要】
【発明が解決しようとする課題】
【０００６】
特許文献１に開示された技術は、空調装置のサブ電源として使用される蓄電池のみを監視し、当該蓄電池からの出力のみを制御するものである。しかしながら、近年では、テナントなどの商用施設で使用される複数の電気設備それぞれが、例えば太陽電池などの分散型発電システムから電力を供給されることも少なくない。このような形態で電気設備が運用される場合には、特許文献１に開示された技術を用いても、分散型の発電システムを効率よく運用することは困難である。
【０００７】
本発明は、上述の事情の下になされたもので、複数の電気設備に電力を供給する分散型の発電システムを効率よく運用することを目的とする。
【課題を解決するための手段】
【０００８】
上述の目的を達成するために、本発明に係る設備コントローラは、商用電力系統に接続される複数の電気設備それぞれで消費される電力と、商用電力系統に連系する電力設備から電気設備に供給される電力を表示する表示手段と、電気設備及び電力設備を制御する制御手段と、処理手段と、を備え、電力設備は、発電ユニットと、商用電力系統からの電力を蓄電するとともに発電ユニットによって発電された電力を蓄電する蓄電手段と、を備え、表示手段は、蓄電手段に蓄電された電力の量と予測された将来の消費電力の推移とから算出された、蓄電手段が放電可能な時間を表示し、処理手段は、蓄電手段に蓄電された電力の量と電気設備の需要とに応じて、運転する電気設備及び当該電気設備の運転条件を複数求め、表示手段は、処理手段が求めた複数の、運転する電気設備及び当該電気設備の運転条件をユーザが選択可能に表示し、制御手段は、ユーザが選択した運転条件で電気設備及び電力設備を制御し、第２発電ユニットと第２蓄電手段とを含む第２電力設備及び第２電気設備を制御する第２設備コントローラと通信可能であり、互いに蓄電手段及び第２蓄電手段に蓄電された電力又は発電ユニット及び第２発電ユニットで発電された電力の融通を行うことが可能であり、予測された将来の消費電力の推移に基づいて消費電力がピークとなる時間帯を算出し、算出された時間帯に消費電力が契約電力を超える場合に、蓄電手段に蓄電された電力を放電させる。
【発明の効果】
【０００９】
本発明によれば、商用電力系統に接続される複数の電気設備と、これらの電気設備それぞれに電力を供給する電力設備を、制御手段によって統括的に制御することができる。したがって、商用電源とは別に設けられた電力設備を効率よく運用することが可能となる。
【図面の簡単な説明】
【００１０】
【図１】テナントに設置された電気設備と、本実施形態に係る設備コントローラを示すブロック図である。
【図２】テナントに設置された電気設備のブロック図である。
【図３】設備コントローラのブロック図である。
【図４】消費電力の推移を示す推移曲線を示す図である。
【図５】変形例に係る設備コントローラのブロック図である。
【発明を実施するための形態】
【００１１】
以下、本発明の一実施形態を、図面を参照しつつ説明する。図１は、テナントに設置された電気設備と、本実施形態に係る設備コントローラ１００を示すブロック図である。設備コントローラ１００は、テナント１０で使用される電気設備を統括的に制御する制御ユニットである。
【００１２】
テナント１０それぞれは、例えば商用施設に設けられた店舗や事務所である。これらのテナント１０には、例えば蓄電ユニット２０、発電ユニット３０、照明設備４１、空調設備４２、及び家電設備４３等の電気設備が設置されている。
【００１３】
図２は、テナント１０に設置された電気設備のブロック図である。図２に示されるように、蓄電ユニット２０は、例えば電解液が充填された複数のセルからなるバッテリー２２と、商用電力系統とバッテリーとを仲介するインバータ２１と、インバータ２１の制御を行う制御装置２３を有している。この制御装置２３は、設備コントローラ１００の指示に基づいて、インバータ２１を制御する。これにより、商用電力系統からの電力がバッテリー２２に蓄電される。そして、バッテリー２２に蓄電された電力が商用電力系統へ供給される。また、制御装置２３は、バッテリー２２に蓄電された電力の量や、商用電力系統とバッテリー２２との間の電流を計測し、計測結果を設備コントローラ１００へ出力する。
【００１４】
本実施形態では、蓄電ユニット２０は、主として電気料金が低い夜間に電力を蓄積し、昼間に設備コントローラ１００の指示に基づいて、電力を放電する。
【００１５】
発電ユニット３０は、複数のセルからなる太陽電池パネル３２と、当該太陽電池パネルと商用電力系統とを仲介するインバータ３１と、インバータ３１を制御する制御装置３３を有している。この制御装置３３は、設備コントローラ１００の指示に基づいて、インバータ３１を制御する。これにより、太陽電池パネル３２によって発電された電力が、商用電力系統へ供給される。また、制御装置３３は、太陽電池パネル３２によって発電される電力や、商用電力系統と太陽電池パネル３２との間の電流を計測し、計測結果を設備コントローラ１００へ出力する。
【００１６】
照明設備４１は、光源を蛍光灯、白熱灯、或いはＬＥＤとする複数の照明装置５１１〜５１Ｎから構成されている。各照明装置５１は、室内の天井等に配置される照明灯や、テナントの看板等を照明する照明灯などが想定される。照明設備４１を構成する照明装置５１は、テナントに設置されるリモコン５１ａを用いて操作することができる。
【００１７】
空調設備４２は、屋内或いは屋外に設置される複数の空調ユニット５２１〜５２Ｎから構成されている。例えば商用設備の屋上等、屋外に配置される空調ユニット５２は、外気と冷媒との間で熱交換を行う室外ユニットである。また、室内の天井や壁面等、屋内に配置される空調ユニット５２は、室内の空気と冷媒との間で熱交換を行う室内ユニットである。空調ユニット５２は、テナントに設置されるリモコン５２ａによって操作することができる。
【００１８】
空調ユニット５２それぞれは、配管等によって相互に接続され、当該配管を介して冷媒が循環する。これにより、冷房時には、室内ユニットで吸熱が行われ、室外ユニットで放熱が行われる。また、暖房時には、室内ユニットで放熱が行われ、室外ユニットで吸熱が行われる。
【００１９】
家電設備４３は、例えばテナントで用いられる複合機、パーソナルコンピュータ等、テナント内のコンセントを介して、電力系統に接続される電気機器である。
【００２０】
設備コントローラ１００は、蓄電ユニット２０、発電ユニット３０、照明設備４１、空調設備４２、及び家電設備４３を統括的に監視するコンピュータである。図３は、設備コントローラ１００のブロック図である。図３に示されるように、設備コントローラ１００は、ＣＰＵ（Central Processing Unit）１０１、主記憶部１０２、補助記憶部１０３、表示部１０４、入力部１０５、インタフェース部１０６、及び上記各部を相互に接続するシステムバス１０７を有している。
【００２１】
ＣＰＵ１０１は、補助記憶部１０３に記憶されているプログラムに従って、後述する所定の処理を実行する。
【００２２】
主記憶部１０２は、ＲＡＭ（Random Access Memory）等を含んで構成されている。この主記憶部１０２は、ＣＰＵ１０１の作業領域として用いられる。
【００２３】
補助記憶部１０３は、ＲＯＭ（Read Only Memory）、磁気ディスク、半導体メモリ等の不揮発性メモリを含んで構成されている。この補助記憶部１０３には、後述する処理を実行するためのプログラムや、パラメータなどが記憶されている。
【００２４】
表示部１０４は、液晶パネルなどの表示ユニットを有している。そして、ＣＰＵ１０１の指示に基づいて、例えばテナント１０での消費電力、発電ユニット３０による発電電力、蓄電ユニット２０に蓄電された電力の量に関する情報等を表示する。
【００２５】
入力部１０５は、キーボード、及びマウスやタッチパネル等のポインティングデバイスを有している。ＣＰＵ１０１への指示は、入力部１０５を介して入力される。
【００２６】
インタフェース部１０６は、シリアルインタフェース、或いはアナログ信号を受信するためのアナログインタフェースを有している。このインタフェース部１０６には、図２を参照するとわかるように、蓄電ユニット２０の制御装置２３、発電ユニット３０の制御装置３３、及び照明設備４１を構成するリモコン５１ａ、空調設備４２を構成するリモコン５２ａ等が接続されている。
【００２７】
ＣＰＵ１０１は、インタフェース部１０６を介して、上記蓄電ユニット２０の制御装置２３、発電ユニット３０の制御装置３３、照明設備４１のリモコン５１ａ、空調設備４２のリモコン５２ａを制御することができる。また、他のテナントに設置された設備コントローラ１００と通信することができる。
【００２８】
インタフェース部１０６には、テナント１０に配置された電力計測ユニット７０〜７３が接続されている。電力計測ユニット７０は、商用電力系統からテナント１０に供給される電力を計測し、計測値に応じた信号をインタフェース部１０６へ出力する。また、電力計測ユニット７１〜７３は、それぞれ照明設備４１、空調設備４２、及び家電設備４３へ供給される電力を計測し、計測値に応じた信号をインタフェース部１０６へ出力する。
【００２９】
ＣＰＵ１０１は、インタフェース部１０６を介して、電力計測ユニット７０〜７３から出力される信号を監視することで、各設備で消費される消費電力を計測することができる。
【００３０】
上述のように構成される設備コントローラ１００は、蓄電ユニット２０の制御装置２３、発電ユニット３０の制御装置３３、照明設備４１のリモコン５１ａ、及び空調設備４２のリモコン５２ａと通信を行う。そして、蓄電ユニット２０に蓄電された電力の量、発電ユニット３０による発電電力、照明設備の稼働状況を示す情報、空調設備４２の稼働状況を示す情報を時系列的に記憶する。同様に、設備コントローラ１００は、電力計測ユニット７０〜７３から出力される信号を監視して、テナント全体の消費電力、照明設備４１の消費電力、空調設備４２の消費電力、及び家電設備４３の消費電力を時系列的に記憶する。上記動作と合わせて、設備コントローラ１００は、各設備での消費電力、及び各設備を構成する機器の稼動状況を表示部１０４に表示する。
【００３１】
設備コントローラ１００は、上述の消費電力の記憶をある程度の期間継続して行うと、消費電力の履歴から、各設備の将来の消費電力を予測することができるようになる。設備コントローラ１００は、将来の消費電力を予測すると、例えば消費電力の推移を示す曲線を表示部１０４に表示する。
【００３２】
図４には、一例として、電力計測ユニット７０によって計測された消費電力の推移を示す推移曲線が示されている。この推移曲線は、現在時刻ｔ１までの電力の推移を実線で示し、現在時刻ｔ１以降の電力の推移を破線で示している。ユーザは、表示部１０４に表示される推移曲線から、破線で示される将来の電力の推移を確認することができる。
【００３３】
図４は、テナント全体の消費電力の推移を表す推移曲線を示すものであるが、ユーザは、入力部１０５を介した操作により、表示部１０４に、蓄電ユニット２０に蓄電される電力の量の推移、発電ユニット３０で発電される電力の推移、照明設備４１、空調設備４２、家電設備４３それぞれの消費電力の推移等を表示させることができる。これにより、ユーザは、各電気設備の将来の消費電力を確認することができる。
【００３４】
ユーザによって将来の消費電力が確認されことで、当該ユーザによる設備機器の運用及び選択、設備機器からの出力の調整等が容易になる。
【００３５】
また、設備コントローラ１００は、蓄電ユニット２０に蓄電された電力の量と、各電気設備の将来の消費電力とから、蓄電ユニット２０の放電計画を作成する。この放電計画は、将来の消費電力の予測結果から、消費電力がピークとなる時間帯を算出し、算出された時間帯に蓄電ユニット２０に蓄電された電力が放電されるような計画となる。これにより、各テナントでの消費電力の最大値が、契約電力を上回ることを回避することが可能となる。
【００３６】
また、設備コントローラ１００は、将来の消費電力の予測結果に基づいて、照明設備４１、空調設備４２、及び家電設備４３の運転計画を作成する。この運転計画は、将来の消費電力の予測結果から、消費電力がピークとなる時間帯を算出し、算出された時間帯に消費電力が契約電力を上回ることがないように、各設備４１〜４３の出力を制御するためのものである。照明設備４１、空調設備４２、及び家電設備４３の出力の制御は、予め設備ごとに、或いは設備を構成する機器ごとに付与された優先順位に応じて、各設備、或いは各機器の出力を低下させること等が考えられる。
【００３７】
また、本実施形態では、各テナント１０１〜１０Ｎの設備コントローラ１００は、相互に通信することができる。このため、各テナント１０１〜１０Ｎの設備コントローラ１００は、相互に協調して動作することで、テナント間で、蓄電ユニット２０に蓄電された電力、或いは発電ユニットで発電された電力を融通することができる。
【００３８】
具体的には、各テナント１０について、将来の消費電力の予測結果が算出された場合には、当該予測結果に基づいて、テナントの営業時間に消費される電力の量を算出し、算出された電力の量の大きさに比例する割合で、各テナント１０の蓄電ユニット２０に蓄電された電力を分配すること等が考えられる。
【００３９】
以上説明したように、本実施形態では、設備コントローラ１００によって、テナント１０の各設備の消費電力の予測結果から、消費電力がピークとなる時間帯が算出される。そして、算出された時間帯に蓄電ユニット２０に蓄電された電力が放電されるように、蓄電ユニット２０が制御される。これにより、各テナントでの消費電力の最大値が、契約電力を上回ることを回避することが可能となる
【００４０】
本実施形態では、各テナント１０１〜１０Ｎの設備コントローラ１００が、相互に通信する。これにより、テナント１０１〜１０Ｎ相互間で、蓄電ユニット２０に蓄電された電力を融通することができる。
【００４１】
本実施形態では、設備コントローラ１００が、テナント１０に設置された照明設備４１、空調設備４２、及び家電設備４３の消費電力の履歴を記憶する。このため、表示部１０４に、過去の消費電力の推移を表示させることができる。また、設備コントローラ１００は、消費電力の履歴に基づいて、将来の消費電力を予測して表示する。このため、ユーザは、運転する設備を選択したり、稼動させる設備の優先順位を容易に決定することが可能となる。
【００４２】
本実施形態では、設備コントローラ１００が、消費電力の履歴に基づいて、将来の消費電力を予測する。このため、予測結果と、蓄電ユニット２０に蓄電された電力とを勘案して、照明設備４１、空調設備４２、及び家電設備４３の運用を、快適性を損なうことなく実現することができる。これによれば、蓄電された電力の使用により、消費電力のピークが小さくなり、余裕のある機器の運転が可能となる。
【００４３】
蓄電ユニット２０に蓄電された電力を使用する場合には、畜電時と放電時に電力の損失が発生する。このため、蓄電ユニット２０の充電及び放電をなるべく行うことなく、各設備を運用することが望ましい。そのため、テナントでの消費電力のピークが契約電力を超える場合にのみ、蓄電ユニット２０に蓄電された電力を使用することで、効率的に蓄電ユニット２０を運用することができる。
【００４４】
また、設備コントローラ１００は、発電ユニット３０と蓄電ユニット２０を制御することができる。このため、例えば発電ユニット３０からの出力が少ない場合や、不安定な場合に限り、蓄電ユニット２０に放電を実行させることで、安定して、かつ効率的に各設備を運用することができる。
【００４５】
本実施形態では、テナント１０にそれぞれ設置された設備コントローラ１００同士が相互に通信をすることができる。このため、各設備コントローラ１００が将来の消費電力を予測した場合には、各テナント１０相互間で電力を融通することができる。これにより、テナント１０が入居するビルや施設全体で、各設備機器を効率よく運用することが可能となる。
【００４６】
本実施形態では、各テナントの設備コントローラ１００それぞれが、消費電力がピークとなる時間帯が算出され、消費電力がピークとなる時間帯に蓄電ユニット２０による放電が行われる。これにより、消費電力のピークが小さくなり、テナントが入居するビルや施設全体で使用される電力が、例えば契約電力を超えることを回避することができる。
【００４７】
このため、空調設備等で快適な環境を実現しつつ、ピーク時の電力料金を低く抑えることができる。更に、電力会社からのインセンティブも期待することができる。なお、このインセンティブとしては、電力料金の割引等などを含む。
【００４８】
上記実施形態では、設備コントローラ１００は、蓄電ユニット２０、発電ユニット３０、照明設備４１、空調設備４２、家電設備４３それぞれの稼働状況を示す情報を記憶する。このため、設備コントローラ１００は、ピーク時間帯に必要な電力の量を予測することができる。このため、蓄電ユニット２０へ、必要な電力を効率的に蓄電することができる。
【００４９】
以上、本発明の実施形態について説明したが、本発明は上記実施形態によって限定されるものではない。以下、上記実施形態の変形例について説明する。
【００５０】
《変形例１》
上記実施形態では、蓄電ユニット２０に蓄電された電力の量を表示することとしたが、設備コントローラ１００は、蓄電ユニット２０に蓄電された電力の量と、将来の消費電力の推移から、蓄電ユニット２０が放電することが可能な時間を算出し、これを表示してもよい。例えば、「現状の状態でテナントの設備を運転すると、あと何時間蓄電ユニット２０が放電を維持することができるか」、或いは、「商用電力系統がブラックアウトしたとき、テナント内の居住者が一カ所に集中したとすれば、蓄電ユニット２０が放電を何時間維持することができるか」等、蓄電ユニット２０の運転可能時間を予測し、表示することが考えられる。
【００５１】
具体的には、設備コントローラ１００は、発電ユニット３０の発電履歴、設備機器の運転状態に関する履歴、或いは各電気設備の消費電力に関する履歴を保持している。このため、例えば、温度センサによって計測した外気温度や、インターネットなどのネットワークを介して取得した気象情報等を考慮して、消費電力の推移を予測することができる。設備コントローラ１００は、この予測結果と、蓄電ユニット２０に蓄電された電力の量、発電ユニット３０の発電電力から、蓄電ユニット２０の運転可能時間を予測し、表示する。
【００５２】
また、設備コントローラ１００は、停電時等に、蓄電ユニット２０の運転可能時間を超えて、テナントの設備を稼動する必要があるような場合には、設備ごとに付与された優先順位を考慮して、設備の出力を低下させたり、設備を停止さたりする。これにより、蓄電ユニット２０に蓄電された電力を有効に利用することができる。この場合に、設備コントローラ１００は、各設備の最適な運用方法をユーザに提供することとしてもよい。
【００５３】
《変形例２》
設備コントローラ１００は、蓄電ユニット２０に蓄電された電力の量や、発電ユニット３０の発電状況に応じて、空調設備４２や照明設備４１の最適な運転条件を提示することとしてもよい。また、設備コントローラ１００は、空調設備４２や照明設備４１の最適な運転条件にしたがって、当該空調設備４２や照明設備４１を制御してもよい。
【００５４】
具体的には、設備コントローラ１００は、蓄電ユニット２０に蓄電された電力の量や、発電ユニット３０の発電状況を考慮して、快適性よりも経済性を重視した運転条件を提供してもよい。快適性と経済性はトレードオフの関係にあるため、上記運転条件を提示することで、ユーザの意図に沿った設備の運用が可能となる。また、停電時等の緊急時には、緊急性を考慮した運転条件を提示してもよい。
【００５５】
上記のように、種々の状況に応じた運転条件を提供することで、ユーザは簡単に状況に応じた設備の運用を行うことができる。
【００５６】
《変形例３》
上記実施形態では、テナント１０に、太陽光を利用して発電する発電ユニット３０が設置されている場合について説明した。これに限らず、風力等を利用する発電ユニットを設置してもよい。この場合には、発電ユニット３０からの出力が不安定になることがあるので、設備コントローラ１００は、発電ユニット３０からの出力の変動を補完するように、蓄電ユニット２０からの出力を制御することとしてもよい。これにより、テナントの設備に、安定して電力を供給することが可能となる。
【００５７】
また、設備コントローラ１００は、発電ユニット３０の発電量の予測結果と、天気予報などを考慮して、夜間に蓄電ユニット２０に必要な電力を蓄電することとしてもよい。設備コントローラ１００は、発電ユニット３０の発電量の予測結果と、テナントの各設備の稼動履歴に基づいて、消費電力のピークが低くなるように、放電を行わせることで、快適性と経済性を両立させることができる。
【００５８】
なお、上記実施形態では、設備コントローラ１００が、コンピュータである場合について説明した。これに限らず、設備コントローラ１００は、例えば図５に示されるように、ＣＰＵ１０１が実行する処理を分担して実行する統合制御部１００ａ、電力管理制御部１００ｂ、及び設備制御部１００ｃなどのハードウエアを含んで構成されていてもよい。
【００５９】
電力管理制御部１００ｂは、蓄電ユニット２０、発電ユニット３０、及び電力計測ユニット７０〜７３と接続されている。そして、蓄電ユニット２０に蓄電された電力の量、発電ユニット３０によって発電される電力、各電気設備での消費電力等の情報を取得して、補助記憶部１０３と、統合制御部１００ａに出力する。
【００６０】
設備制御部１００ｃは、蓄電ユニット２０の制御装置２３、発電ユニット３０の制御装置３３、照明設備４１のリモコン５１ａ、空調設備４２のリモコン５２ａに接続されている。そして、統合制御部１００ａからの指示に基づいて、各設備の制御を実行する。また、各設備の稼働状況を示す情報を補助記憶部１０３へ出力する。
【００６１】
統合制御部１００ａは、電力管理制御部１００ｂから出力される情報と、補助記憶部１０３に記憶された各情報の履歴と、入力部１０５を介して入力されるユーザからの指令に基づいて、設備制御部１００ｃに種々の指令を出力する。これにより、テナント１０の各設備の制御が実現する。また、統合制御部１００ａは、必要に応じて、補助記憶部１０３に記憶された履歴や、将来の消費電力の予測結果等を、表示部１０４に表示する。
【００６２】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００６３】
本発明の電源切替装置は、商用電源と家庭内に設置された電源の切替に適している。また、本発明の配電盤は、負荷への電力の配分に適している。
【符号の説明】
【００６４】
１０  テナント
２０  蓄電ユニット
２１  インバータ
２２  バッテリー
２３  制御装置
３０  発電ユニット
３１  インバータ
３２  太陽電池パネル
３３  制御装置
４１  照明設備
４２  空調設備
４３  家電設備
５１  照明装置
５１ａ  リモコン
５２  空調ユニット
５２ａ  リモコン
７０〜７３  電力計測ユニット
１００  設備コントローラ
１００ａ  統合制御部
１００ｂ  電力管理制御部
１００ｃ  設備制御部
１０１  ＣＰＵ
１０２  主記憶部
１０３  補助記憶部
１０４  表示部
１０５  入力部
１０６  インタフェース部
１０７  システムバス
【図１】
0005780989.tif 000002
【図２】
0005780989.tif 000003
【図３】
0005780989.tif 000004
【図４】
0005780989.tif 000005
【図５】
0005780989.tif 000006